(57)【特許請求の範囲】
【請求項１】
煙または異常温度の検知に基づく巻き戻しに伴って、金属製シャッター本体の下部側の座板を床面に着床させて、建屋通路などの空間を区画するように構成し、空間区画状態でシャッター本体を通過するための避難用開口をシャッター本体に形成し、この開口を閉じる耐火シート製のシート扉を開口の上部側に連結して、シート扉をシャッター本体と一体に巻き取るように構成する一方、前記開口の下縁部に沿わせて、前方斜め上方に回動可能に金属製の保持部材を設け、この保持部材とシート扉の下部側とにわたって、空間区画状態でシート扉を緊張させるシート緊張手段を設けると共に、更に、シート扉の周部をシャッター本体に磁気吸着させるマグネットを備えて成ることを特徴とするシート扉付きのシャッター装置。
【請求項２】
前記開口の上縁部に沿わせて、前方斜め上方に回動可能に金属製の保持部材を設け、この保持部材にシート扉の上縁部を連結してある請求項１に記載されたシート扉付きのシャッター装置。
【請求項３】
前記座板と下部側の保持部材とにわたって、この保持部材を座板側に引き寄せ付勢する付勢手段を設けてある請求項１または２に記載されたシート扉付きのシャッター装置。
【発明の詳細な説明】
【０００１】
【発明の属する技術分野】
本発明は、煙または異常温度の検知に基づく巻き戻しに伴って、シャッター本体下部側の座板を床面に着床させて、建屋通路などの空間を区画するように構成した金属製のシャッター装置に関するものである。
【０００２】
【従来の技術】
上記のシャッター装置として、金属製のスラットを相互に連結したシャッター本体の巻き取り手段を、それのブレーキ装置を火災発生の検知に基づいて開放させて、自重降下に伴ってシャッター本体を天井のまぐさ部から巻き戻し、座板を床面に着床させるようにしたタイプのものや、火災発生の検知に基づいて、シャッター本体の巻き取り手段を巻き戻し方向に駆動させて、座板を床面に着床させるようにしたタイプのものがある。
【０００３】
【発明が解決しようとする課題】
ところで、火災の発生が検知された際には、火災発生の検知と同時に避難警報が発せられて、シャッター装置が建屋通路などの空間を区画するのが一般的であって、避難が遅れて火災の発生現場側の空間に取り残された場合は、手動の操作でシャッター本体を少し巻き上げて、床面と座板との間の隙間を通して避難し、この後、シャッター本体を巻き戻していたのである。
【０００４】
しかし、上記の避難動作には時間がかゝる上に、何よりも避難することが先決であることから、気が動転してシャッター本体を巻き戻すことを失念し易く、シャッター装置による空間区画の機能を逸失してしまうことがあったのである。
【０００５】
上記の構成とは別に、建屋通路などの空間の幅方向の一部に非難用の扉を常設し、残りの空間部に上記いずれかのシャッター装置を設け、かつ、非難扉とシャッター装置との間に竪枠材いわゆる中柱を設けたものもある。
【０００６】
かゝる構成のシャッター装置においては、非難扉の開放によって迅速に非難が可能である上に、非難扉が自動閉鎖装置を備えているので、扉の閉じ忘れは一切ないのであるが、非難のための扉設備が全体のコストアップに繋がるだけでなく、これが常設であることから実際の空間幅が狭くなり、更に、非難扉ならびにシャッター本体が開放された通常の状態で中柱が残ることから、これが歩行の障害となる問題があった。
【０００７】
本発明は、かゝる実情に鑑みて成されたものであって、シャッター本体を巻き上げることなく直ちに避難できる上に、空間区画の機能を逸失する虞れが全くなく、しかも、通常時には、空間幅を狭くしたり歩行障害になったりすることのないシャッター装置を提供することを目的としている。
【０００８】
【課題を解決するための手段】
即ち、本発明は、煙または異常温度の検知に基づく巻き戻しに伴って、金属製シャッター本体の下部側の座板を床面に着床させて、建屋通路などの空間を区画するように構成し、空間区画状態でシャッター本体を通過するための避難用開口をシャッター本体に形成し、この開口を閉じる耐火シート製のシート扉を開口の上部側に連結して、シート扉をシャッター本体と一体に巻き取るように構成する一方、前記開口の下縁部に沿わせて、前方斜め上方に回動可能に金属製の保持部材を設け、この保持部材とシート扉の下部側とにわたって、空間区画状態でシート扉を緊張させるシート緊張手段を設けると共に、更に、シート扉の周部をシャッター本体に磁気吸着させるマグネットを備えて成る点に特徴がある。
【０００９】
上記の構成にかゝるシート扉付きのシャッター装置によれば、通常時においては、建屋通路などの空間にはシャッター装置の何物も存しないので、歩行障害を伴うことは一切なく、かつ、空間幅を狭くすることもない。
【００１０】
そして、火災発生の検知に基づくシャッター本体の空間区画の状態において、シート扉下部側の保持部材を前方斜め上方に回動させるように、シート扉を開放することで、時間をかけずに簡単に避難することができる。
【００１１】
しかも、避難のために開放させたシート扉を手放せば、このシート扉は、保持部材の自重によって自動的に閉じられるので、シート扉を閉じ忘れることは一切なく、シャッター装置による空間区画の機能を逸失する虞れは全くない。
【００１２】
そして、避難用開口の上部側に連結したシート扉の下部側を、そのシート扉を緊張させて単純に保持部材に連結した場合は、シート扉をシャッター本体と一体に巻き取る際に、シャッター本体とシート扉との巻き取り直径に差が付いて、その巻き取り位相差のためにシャッター本体を巻き取ることができなくなるが、本発明においては、シート扉の下部側を緊張手段を介して上記の保持部材に連結させているので、この緊張手段が巻き取り位相差を吸収することで、シート扉をシャッター本体と一体に巻き取ることができるのである。
【００１３】
更に、シート扉の緊張状態において、このシート扉の周部をマグネットによってシャッター本体に磁気吸着させるようにしているので、避難用開口まわりの空間区画の機能も確実に確保される。
【００１４】
尚、シート扉を開口の上部側に直結させてもよいのであるが、この場合は、避難用開口を矩形状に形成しても、シート扉を開放させた状態では、開口が上狭まりの三角形状になって、避難に際しては、上体を屈めるようにして避難することになる。
【００１５】
従って、好適には、開口の上縁部に沿わせて、前方斜め上方に回動可能に金属製の保持部材を設けて、この保持部材にシート扉の上縁部を連結することであり、このように構成すると、避難用開口を矩形状に形成した場合、広い開口を通して楽に避難することができる。
【００１６】
また、上記した下部側の保持部材と座板とにわたって、この保持部材を座板側に引き寄せ付勢する付勢手段を設ければ、保持部材の自重によるシート扉の自動閉止に加えて、このシート扉を強制的に付勢閉止させ得る利点がある。
【００１７】
【発明の実施の形態】
以下、本発明による実施の形態を図面に基づいて説明する。図１及び図２は、火災発生の検知に基づいて建屋の通路や階段室などの空間Ｐを区画するためのシート扉付きのシャッター装置を示している。
【００１８】
図中の符号１は、左右の側壁に埋設されたガイドレール２に沿って巻き戻されるシャッター本体で、金属製（例えばスチール製）のスラット３を相互に連結すると共に、最下位のスラット３に金属製の座板４を吊り下げ保持させて成る。
【００１９】
５はシャッター本体１の巻き取り手段で、スラット巻き取りドラム６に、ブレーキ装置７を介して駆動回転手段８を連結して成り、煙または異常温度検知センサー９からの情報に基づいてブレーキ装置７を開放し、シャッター本体１を自重降下に伴って天井１０のまぐさ部１１から巻き戻させ、吊り下げ保持した座板４を床面１２に着床させて、建屋通路などの空間Ｐを区画するように構成されている。
【００２０】
１３はシャッター本体１による空間区画の状態で、そのシャッター本体１を通過するための避難用開口で、シャッター本体１のスラット３を一部切り欠いて矩形状に形成されており、かつ、スラット３の切り欠き端縁には、シャッター本体１の巻き取りを可能にするように、縁材（図７を参照）１４を設けている。
【００２１】
１５，１６は避難用開口１３の上下の縁部に沿わせて配置された金属製の保持部材で、図３〜図６にも示すように、上部側の保持部材１５はスラット３に、かつ、下部側の保持部材１６は座板４の一部を切り欠いて座板部分に、それぞれ枢支軸ａを傾斜させたヒンジ１７を介して前方斜め上方に回動可能に設けられている。
【００２２】
１８は避難用開口１３を閉じる可撓性のシート扉で、例えば硅素や硅酸系合成繊維などの耐熱性繊維のシートの片面または両面に、防煙性を高めるようにシリコン樹脂、フッ素樹脂、酢酸ビニルなどの耐火性物質をコーティングして成り、このシート扉１８の上部側を上部側の保持部材１５に連結する一方、シート扉１８の下部側については、これに金属製のフラットバー１９を設けて、シート緊張手段２０を介して下部側の保持部材１６に連結して、シート扉１８をシャッター本体１と一体に巻き取るように構成している。
【００２３】
シート緊張手段２０は、次のように構成されている。即ち、下部側の保持部材１６に、それの長手方向に間隔を隔てて２個のプーリー２１，２１を回転可能に設ける一方、中間部に引っ張りスプリング２２を備えたワイヤ２３を、そのスプリング２２をプーリー２１，２１間に位置させてプーリー２１，２１に巻回し、かつ、このワイヤ２３の両端をシート扉１８の下部側に連結して成る。
【００２４】
即ち、シート扉１８をシャッター本体１と一体に巻き取る際には、シャッター本体１とシート扉１８との巻き取り直径に差が付くが、シャッター本体１とシート扉１８とを、シャッター本体１の巻き取り方向で相互に位置ずれ可能に構成して、巻き取りの位相差をシート緊張手段２０によって吸収させることで、シート扉１８をシャッター本体１と一体に巻き取れるようにしている。
【００２５】
次に、図中の２４はシート扉１８の周部に設けたマグネットで、スチール製のシャッター本体１の避難用開口１３まわりにシート扉１８の周部を磁気吸着させるものであり、シャッター本体１を例えばアルミニュームなどの金属製にする場合は、シャッター本体１側にもマグネットを設けて、シート扉１８の周部を避難用開口１３まわりに磁気吸着させるようにする。
【００２６】
２５は下部側の保持部材１６を座板４側に引き寄せ付勢する付勢手段で、下部側の保持部材１６に、それの長手方向に間隔を隔てて２個のプーリー２６，２６を回転可能に設ける一方、中間部に引っ張りスプリング２７を備えたワイヤ２８を、そのスプリング２７をプーリー２６，２６間に位置させてプーリー２６，２６に巻回し、かつ、このワイヤ２８の両端を座板４側に連結して成る。
【００２７】
尚、上部側の保持部材１５のヒンジ１７を、受け金具２９を介してスラット３側の金具３０に取り付けるに際して、その取り付けボルト３１の内の１本のボルト３１ａを、受け金具２９のボルト挿通孔ｂに対して密に嵌合させる一方、スラット側の金具３０に、この金具３０の下端縁に傾斜頭部を係止させるように皿ビスｃを螺着して、この皿ビスｃの螺進位置の調整によって、受け金具２９の取り付け位置ひいては保持部材１５の取り付け姿勢を、ボルト３１ａまわりで微調整できるようにしている。
【００２８】
上記の構成にかゝるシート扉付きのシャッター装置によれば、検知センサー９が煙または異常温度を検知すると、この検知センサー９からの火災発生の検知情報に基づいて避難警報が発せられ、かつ、シャッター本体巻き取り手段５のブレーキ装置７が開放されて、シャッター本体１が自重降下してまぐさ部１１から巻き戻され、座板４が床面１２に着床することで、図８（Ａ）に示すように、建屋通路などの空間Ｐが座板４とシャッター本体１とによって区画される。
【００２９】
ここで、避難が遅れて火災の発生現場側の空間の取り残された場合は、図８（Ｂ）に示すように、シート扉１８の上下部を連結した保持部材１５，１６を前方斜め上方に回動させて、シャッター本体１に対するシート扉１８のマグネット２４による磁気吸着を剥がしつつ、シート扉１８を開放することで、時間をかけないで簡単に避難することができる。
【００３０】
避難後においては、開放させたシート扉１８から手を放すことで、このシート扉１８は、保持部材１５，１６の自重によって、更に、付勢手段２５による引き寄せ付勢力を受けて、自動的に閉じられるので、シート扉１８の閉じ忘れは一切生じず、シャッター装置による空間区画の機能を逸失する虞れは全くない。
【００３１】
また、シート扉１８の閉じ姿勢では、そのシート扉１８の周部が避難用開口１３まわりに磁気吸着されるので、避難用開口１３まわりの空間区画の機能も確実に確保される。
【００３２】
尚、上記の実施の形態では、検知センサー９からの火災発生の検知情報に基づいて、シャッター本体巻き取り手段５のブレーキ装置７を開放させるようにしているが、火災発生の検知に基づいてシャッター本体巻き取り手段５をシャッター本体巻き戻し方向に駆動させ、かつ、座板４の着床後にシート１の巻き戻し駆動を停止させるように構成してもよい。
【００３３】
また、上部側の保持部材１５を省略して、シート扉１８の上部側を避難用開口１３の上部側に直結させてもよく、更には、下部側の保持部材１６を座板４側に引き寄せ付勢する付勢手段２５を必ずしも設ける必要はない。
【００３４】
【発明の効果】
以上説明したように、本発明によるシート扉付きのシャッター装置によれば、通常時においては、建屋通路などの空間にはシャッター装置の何物も存しないので、歩行障害を伴うことは一切なく、かつ、空間幅を狭くすることもない。
【００３５】
そして、火災発生の検知に基づいて、シャッター本体が建屋通路などの空間を区画した状態において、避難が遅れた場合であっても、シャッター本体を巻き上げる手間を一切必要としないで、即ち、時間をかけずに簡単に避難することができる。
【００３６】
しかも、避難のために開放させたシート扉を手放せば、このシート扉は、保持部材の自重によって自動的に閉じられるので、シート扉を閉じ忘れることは一切なく、シャッター装置による空間区画の機能を逸失する虞れは全くない。
【００３７】
また、シート扉の上部側をシャッター本体に連結し、かつ、シート扉の下部側をシャッター本体とはフリーの状態にして、シート扉をシャッター本体と一体に巻き取れるようにした上で、このシート扉の下部側を緊張手段を介して保持部材に連結させているので、シャッター本体による空間区画の状態で、シート扉を緊張させることが容易に可能となり、かつ、このシート扉の緊張状態において、このシート扉の周部をマグネットによってシャッター本体に磁気吸着させるようにしているので、避難用開口まわりの空間区画の機能も確実に確保される。
【図面の簡単な説明】
【図１】シート扉付きシャッター装置の概略縦断側面図である。
【図２】シャッター本体による空間区画の状態を示す斜視図である。
【図３】シート扉と共に、シート緊張手段ならびに座板側への保持部材引き寄せ付勢手段を示す説明図である。
【図４】シート緊張手段と引き寄せ付勢手段との詳細図である。
【図５】上部側保持部材の取り付け説明図である。
【図６】図５におけるＸ−Ｘ線断面図である。
【図７】避難用開口とシート扉との横断平面図である。
【図８】（Ａ）はシャッター本体による空間区画の状態を示す説明図、（Ｂ）はシート扉の開放状態を示す説明図である。
【符号の説明】
１…シャッター本体、４…座板、１２…床面、１３…避難用開口、１５，１６…保持部材、１８…シート扉、２０…シート緊張手段、２４…マグネット、２５…引き寄せ付勢手段、Ｐ…建屋通路などの空間。
【図１】
0003728071.tif 000002
【図２】
0003728071.tif 000003
【図３】
0003728071.tif 000004
【図４】
0003728071.tif 000005
【図５】
0003728071.tif 000006
【図６】
0003728071.tif 000007
【図７】
0003728071.tif 000008
【図８】
0003728071.tif 000009